(57)【要約】【課題】小型かつ良好な操作感でレンズアンロックが可能な撮像装置を提供する。【解決手段】撮像装置１は、マウント部１０１に装着された交換レンズユニットをロックするロック位置と該交換レンズユニットのロックを解除する非ロック位置とに移動可能であり、非ロック位置からロック位置に向けて付勢されたロック部材１０２と、ロック部材を非ロック位置からロック位置に移動させるための押圧操作によって非操作位置から操作位置に移動する操作部材２０２と、押圧操作された操作部材によって移動されてロック部材をロック位置から非ロック位置に移動させる連動部材１０５とを有する。連動部材は、ロック部材または該ロック部材と一体移動が可能な部材１０３のいずれかに設けられた被当接部１０３ｂ，１０３ｃに当接する当接部１０５ｂ，１０５ｃを有する。当接部と被当接部のうち少なくとも一方が、他方に向かって凸の形状を有する。【選択図】図４
2020122849.tif 000002
【特許請求の範囲】
【請求項１】
交換レンズユニットが装着されるマウント部を有する撮像装置であって、
前記マウント部に装着された前記交換レンズユニットをロックするロック位置と該交換レンズユニットのロックを解除する非ロック位置とに移動可能であり、前記非ロック位置から前記ロック位置に向けて付勢されたロック部材と、
前記ロック部材を前記非ロック位置から前記ロック位置に移動させるための押圧操作によって非操作位置から操作位置に移動する操作部材と、
押圧操作された前記操作部材によって移動されて前記ロック部材を前記ロック位置から前記非ロック位置に移動させる連動部材とを有し、
前記連動部材は、前記ロック部材または該ロック部材と一体移動が可能な部材のいずれかに設けられた被当接部に当接する当接部を有し、
前記当接部と前記被当接部のうち少なくとも一方が、他方に向かって凸の形状を有することを特徴とする撮像装置。
【請求項２】
前記凸の形状が、凸の曲面形状であることを特徴とする請求項１に記載の撮像装置。
【請求項３】
前記ロック部材は、前記マウント部材に対する前記ロック位置を超える移動を阻止するロックストッパ部を有し、
前記当接部は、前記ストッパ部と前記被当接部との間に位置することを特徴とする請求項１または２に記載の撮像装置。
【請求項４】
前記操作部材に対する押圧操作方向から見たとき、
前記操作部材と前記ロック部材は第１の方向に離間して配置され、
前記第１の方向に直交する第２の方向における前記ロック部材の両側において、前記当接部が前記被当接部に当接していることを特徴とする請求項１から３のいずれか一項に記載の撮像装置。
【請求項５】
前記操作部材に対する押圧操作方向から見たとき、
前記操作部材と前記ロック部材は第１の方向に離間して配置され、
前記連動部材は、前記第１の方向に直交する第２の方向における前記ロック部材の両側の２箇所を少なくとも含む複数箇所において前記押圧操作方向に移動可能にガイドされていることを特徴とする請求項１から４のいずれか一項に記載の撮像装置。
【請求項６】
前記操作部材は、その内側に押圧操作方向に延びる軸部を有しており、
前記撮像装置は、
前記軸部が前記押圧操作方向に移動可能に挿入される孔部を有する軸保持部材と、
前記軸保持部材を保持し、前記撮像装置に固定される固定部材と
前記軸保持部材が、前記固定部材を前記操作部材の側からその反対側まで貫通していることを特徴とする請求項１から５のいずれか一項に記載の撮像装置。
【請求項７】
前記軸保持部材の前記孔部は、該軸保持部材を前記押圧操作方向に貫通していることを特徴とする請求項６に記載の撮像装置。
【請求項８】
前記操作部材は、前記撮像装置に対する前記非操作位置を超える移動を阻止する操作部材ストッパ部を有し、
前記操作部材ストッパ部は、前記操作部材が前記操作位置に移動したときに、前記軸保持部材に設けられた凹部内に入り込むことを特徴とする請求項６または７に記載の撮像装置。
【請求項９】
前記操作部材ストッパ部と前記凹部は、前記押圧操作方向から見たときに重なり合う部分を有することを特徴とする請求項６から８のいずれか一項に記載の撮像装置。
【請求項１０】
前記重なり合う部分は、前記押圧操作方向に対して互いに同じ方向に傾いた斜面として形成されていることを特徴とする請求項９に記載の撮像装置。
【発明の詳細な説明】
【技術分野】
【０００１】
本発明は、交換レンズユニットの着脱が可能な撮像装置に関する。
【背景技術】
【０００２】
上記のような撮像装置には、そのマウント部に装着された交換レンズユニットをロックするロック部材（ロックピン）と、該ロックピンによるロックを解除するための操作部材（アンロックボタン）とが設けられている。ロックピンは、交換レンズユニットをロックするためにマウント部のマウント面から突出するロック位置と交換レンズユニットのロックを解除するためにマウント面から退避する非ロック位置とに移動する。
【０００３】
図８は、アンロックボタン３０１の押圧操作に応じて、ロックピン３０２をロック位置から非ロック位置に移動させるためのレンズアンロック機構を示す。ロックピン３０２には連動部材３０３の一端が一体移動可能に固定され、該連動部材３０３の他端部３０４がアンロックボタン３０１の当接部３０５と当接している。ロックピン３０２の周囲に配置されたロックばね３０６は、連動部材３０３を介してロックピン３０２をロック位置に向けて付勢している。また、アンロックボタン３０１の下に配置されたボタンばね３０７は、アンロックボタン３０１を操作位置から非操作位置に向けて付勢している。
【０００４】
アンロックボタン３０１が矢印３１０の方向にユーザにより押圧操作（アンロック操作）されると、当接部３０５が連動部材３０３を押すため、連動部材３０３とともにロックピン３０２が非ロック位置に移動される。同様のレンズアンロック機構は、特許文献１にも開示されている。
【先行技術文献】
【特許文献】
【０００５】
【特許文献１】特開２０１３−２４６１９８号公報
【発明の概要】
【発明が解決しようとする課題】
【０００６】
しかしながら、撮像装置の小型化に伴って、図８や特許文献１にて開示された従来のレンズアンロック機構に比べてより小型化が可能なレンズアンロック機構が求められている。また、上記従来のレンズアンロック機構では、マウント部に設けられた孔部によって移動可能に保持されたロックピンが孔部に対して傾き易いために、アンロック操作時に良好な操作感が得られないおそれがある。
【０００７】
本発明は、小型でありながらも良好な操作感が得られるレンズアンロック機構を有する撮像装置を提供する。
【課題を解決するための手段】
【０００８】
本発明の一側面としての撮像装置は、マウント部に装着された交換レンズユニットをロックするロック位置と該交換レンズユニットのロックを解除する非ロック位置とに移動可能であり、非ロック位置からロック位置に向けて付勢されたロック部材と、ロック部材を非ロック位置からロック位置に移動させるための押圧操作によって非操作位置から操作位置に移動する操作部材と、押圧操作された操作部材によって移動されてロック部材をロック位置から非ロック位置に移動させる連動部材とを有する。連動部材は、ロック部材または該ロック部材と一体移動が可能な部材のいずれかに設けられた被当接部に当接する当接部を有する。当接部と被当接部のうち少なくとも一方が、他方に向かって凸の形状を有することを特徴とする。
【発明の効果】
【０００９】
本発明によれば、小型でありながらも良好な操作感が得られるレンズアンロック機構を有する撮像装置を実現することができる。
【図面の簡単な説明】
【００１０】
【図１】本発明の実施例である撮像装置の斜視図。
【図２】（ａ）実施例の撮像装置におけるレンズアンロック機構の分解斜視図および（ｂ）アンロックボタンの周辺の分解斜視図。
【図３】上記レンズアンロック機構の詳細を示す図。
【図４】（ａ）図３のＢ−Ｂ線で切断したときの断面図およびｂ）Ｃ−Ｃ線で切断したときの断面図。
【図５】（ａ）実施例におけるレンズアンロック機構の外観図、（ｂ）レンズアンロック機構をＡ−Ａ線で切断したときの断面図および（c）アンロックボタンが押圧操作された状態を示す断面図。
【図６】（ａ）実施例におけるレンズアンロック機構の分解斜視図および（ｂ）背面分解斜視図。
【図７】（ａ）実施例におけるレンズアンロック機構の一部を示す正面図および（ｂ）側面図。
【図８】従来のレンズアンロック機構を示す斜視図。
【発明を実施するための形態】
【００１１】
以下、本発明の実施例について図面を参照しながら説明する。
【００１２】
図１は、本発明の実施例である撮像装置１の外観を示している。撮像装置１は、その上面に電源のＯＮ／ＯＦＦを行うためにユーザにより操作される電源ボタン１１と、撮像準備動作および撮像動作を指示するために操作されるレリーズボタン１２とを有する。また撮像装置１の前面には、不図示の交換レンズユニットがバヨネット結合により装着されるマウント部材１０１が固定されている。マウント部材１０１における交換レンズユニットとの当接面であるマウント面１０１ｂには、貫通孔部１０１ａが設けられている。この貫通孔部１０１ａからは、交換レンズユニットのマウント部に設けられた凹部に入り込んで交換レンズユニットをロックする（バヨネット結合を解除する回転を阻止する）レンズロック機構のロックピン（ロック部材）１０２が突出している。さらに撮像装置１のフロントカバー２０１に設けられた穴部２０１ａからは、ユーザによる押圧操作が可能なアンロックボタン（操作部材）２０２が突出している。
【００１３】
アンロックボタン２０２とロックピン１０２は、後述するレンズアンロック機構により連動している。すなわち、アンロックボタン２０２が押圧操作されると、これに連動してマウント面から突出するロック位置にあったロックピン１０２がからマウント面から退避する非ロック位置に移動する。これにより、交換レンズユニットのロックが解除され、交換レンズユニットを取り外すことが可能となる。
【００１４】
図２（ａ）および図２（ｂ）を用いて、マウントユニット１００、レンズロック機構１１０およびレンズアンロック機構２００の構成について説明する。図２（ａ）は、ともに撮像装置１の本体部材１０６を保持ベースとして構成されるマウントユニット１００とレンズロック機構１１０を分解して前側から見て示している。図２（ｂ）は、本体部材１０６の前面に取り付けられるフロントカバー２０１を保持ベースとして構成されるレンズアンロック機構２００を分解して背面から見て示している。
【００１５】
マウントユニット１００は、本体部材１０６に対して４つのビスにより固定（共締め）されるレンズ通信接点ユニット１０８、マウントリングばね１０７およびマウント部材１０１を有する。前述したように、マウント部材１０１のマウント面１０１ｂには、交換レンズユニットが装着される。レンズ通信接点ユニット１０８は、撮像装置１が交換レンズユニットと通信する電気的な接点を複数備えている。マウントリングばね１０７は、マウント部材１０１にバヨネット結合した交換レンズユニットを前方に付勢して、交換レンズユニットとマウント部材１０１の間の結合がたを除去する。
【００１６】
レンズロック機構１１０は、ロックピンユニット１０９（ロックピン１０２およびロックピン保持部材１０３）と、ロックばね１０４と、連動部材１０５とにより構成される。マウント部材１０１のマウント面１０１ｂにて開口した貫通孔部１０１ａには、ロックピン１０２のピン部１０２ａがその中心軸が延びる前後方向（交換レンズユニットの光軸方向）に移動可能に挿入される。ロックピン１０２におけるピン部１０２ａの根元にロックピン保持部材１０３が加締めにより固定されて、ロックピンユニット１０９が構成される。ロックピンユニット１０９は、ロックばね１０４によってマウント面１０１ｂから前方に突出するロック位置の方向に付勢される。
【００１７】
連動部材１０５は、図２（ａ）に示すように、その２つのピン当接部１０５ｂ，１０５ｃにおいてロックピン保持部材１０３の前面と当接する。このため、連動部材１０５は、ロックピン保持部材１０３を介してロックばね１０４によって前方（ロックピンユニット１０９と同方向）に付勢される。この連動部材１０５は、ピン当接部１０５ｂ，１０５ｃと、アンロックボタン２０２と当接するボタン当接部１０５ａと、これらを接続するように前後方向に延びる接続部１０５ｄとを有する。すなわち、ピン当接部１０５ｂ，１０５ｃとボタン当接部１０５ａとは前後方向における位置が互いに異なる。
【００１８】
図２（ｂ）において、レンズアンロック機構２００は、アンロックボタン２０２と、ボタンばね（操作部材ばね）２０３と、ボタン軸保持部材２０４と、固定部材２０５とにより構成される。アンロックボタン２０２は、フロントカバー２０１に設けられた穴部２０１ａ内に前後方向に移動可能に挿入され、ボタンばね２０３によってフロントカバー２０１から突出する位置である非操作位置に向かって付勢される。アンロックボタン２０２の複数箇所にはフランジ部２０２ｆが設けられている。それらフランジ部２０２ｆの前面は、フロントカバー２０１の後面における穴部２０１ａの周囲に当接してアンロックボタン２０２の非操作位置を超える移動を阻止するボタンストッパ部（操作部材ストッパ部）２０２ｄ，２０２ｅとして用いられる。
【００１９】
ボタンばね２０２の内側には、該ボタンばね２０３の押圧操作方向に延びる軸部２０２ｃが設けられている。軸部２０２ｃは、ボタン軸保持部材２０４の円筒部２０４ａに設けられた貫通孔部に前後方向に移動可能に嵌合挿入される。これにより、ボタンばね２０２はボタン軸保持部材２０４により前後方向に移動可能に保持される。ボタン軸保持部材２０４の円筒部２０４ａの周囲には、前述したボタンばね２０３が配置される。ボタンばね２０３は、ボタン軸保持部材２０４のフランジ部２０４ｃとアンロックボタン２０２の内側の天井面との間に配置され、前述したようにアンロックボタン２０２を非操作位置に向けて付勢する。
【００２０】
ボタン軸保持部材２０４は、熱溶着により固定部材２０５により固定される。固定部材２０５は、フロントカバー（固定部）２０１に２つのビスによって固定される。こうしてフロントカバー２０１により保持されたレンズアンロック機構は、フロントカバー２０１が本体部材１０６に固定されることで、本体部材１０６より保持されたレンズロック機構に対して位置決めされる。これにより、精度良く、連動部材１０５のボタン当接部１０５ａの前面にアンロックボタン２０２に設けられた連動当接部２０２ｂが当接する。なお、連動当接部２０２ｂは、前述したボタンストッパ部２０２ｅが前面に形成されたフランジ部２０２ｆの後面である。
【００２１】
次に、図３および図４（ａ），（ｂ）を用いて、本実施例のレンズロック機構１１０の構成についてより詳しく説明する。図３は、レンズロック機構およびフロントカバー２０１を前方（押圧操作方向）から見て示している。図４（ａ）は図３中のＢ−Ｂ線での断面を示し、図４（ｂ）は図３中のＣ−Ｃ線での断面を示す。なお、ロックピン１０２の中心１０２ａとアンロックボタン２０２（図３には図示せず）の中心２０２ａａとを結ぶ直線が延びる方向、つまりはロックピン１０２とアンロックボタン２０２とが離間して配置された方向をＸ方向（第１の方向）とする。また、Ｘ方向とアンロックボタン２０２の押圧操作方向（かつロックピン１０２がロック位置から非ロック位置に移動する方向）であるＺ方向に対して直交する方向をＹ方向（第２の方向）とする。
【００２２】
前述したように、連動部材１０５は、ボタン当接部１０５ａと、ピン当接部１０５ｂ，１０５ｃと、これらを接続する接続部１０５ｄとを有する。ピン当接部１０５ｂ，１０５ｃにはそれぞれ、後方に向かって凸の曲面形状（半球面形状）を有する凸部１０５ｂａ，１０５ｃａが設けられている。これら凸部１０５ｂａ，１０５ｃａは、ロックピン保持部材１０３の被当接部１０３ｂ，１０３ｃの前面に当接する。なお、凸部１０５ｂａ，１０５ｃａは必ずしも曲面形状を有する必要はなく、小面積で被当接部１０３ｂ，１０３ｃに当接する凸形状を有すればよい。
【００２３】
また、本実施例では、連動部材１０５のピン当接部１０５ｂ，１０５ｃに凸部１０５ｂａ，１０５ｃａが設けられている場合について説明する。しかし、ロックピン保持部材１０３の被当接部１０３ｂ，１０３ｃにピン当接部１０５ｂ，１０５ｃ（すなわち前方）に向かって凸の曲面形状を有する凸部を設け、該凸部が連動部材１０５のピン当接部１０５ｂ，１０５ｃに当接してもよい。すなわち、連動部材１０５のピン当接部１０５ｂ，１０５ｃとロックピン保持部材１０３の被当接部１０３ｂ，１０３ｃのうち一方に、他方に向かって凸の形状を有する凸部を設ければよい。
【００２４】
さらに本実施例では、ロックピン１０２にこれとは別部材としてのロックピン保持部材１０３を一体移動可能に固定して該ロックピン保持部材１０３に被当接部１０３ｂ，１０３ｃを設けた場合について説明した。しかし、ロックピンにロックピン保持部材の形状を有する部分を一体設けて該部分に被当接部を設けてもよい。
【００２５】
ロックピン保持部材１０３と連動部材１０５との当接位置について説明する。図３に示すように、連動部材１０５においてロックピン保持部材１０３と当接する凸部１０５ｂａ，１０５ｃａは、Ｙ方向におけるロックピン１０２の両側に配置されており、Ｘ方向においてはロックピン１０２の中心１０２ａと同一位置に配置されている。さらに、凸部１０５ｂａ，１０５ｃａは、Ｙ方向においてロックピン１０２の中心１０２ａから同一距離Ｆの位置に配置されている。
【００２６】
また図４（ａ）に示すように、ロックピン１０２は、マウント部材１０１の貫通孔部１０１ａにＺ方向に移動可能に嵌合挿入されるピン部１０２ｃと、該ピン部１０２ｃにＺ方向にて隣接して設けられたロックストッパ部１０２ｂとを有する。ロックストッパ部１０２ｂは、マウント部材１０１の後面における貫通孔部１０１ａの周囲に当接してロック位置を超える前方への突出（移動）を阻止する。連動部材１０５のピン当接部１０５ｂ，１０５ｃ（凸部１０５ｂａ，１０５ｃａ）は、ロックピン１０２のロックストッパ部１０２ｂとロックピン保持部材１０３の被当接部１０３ｂ，１０３ｃとの間に位置する。すなわち、Ｚ方向において、凸部１０５ｂａ，１０５ｃａはピン部１０２ｃの近傍にて被当接部１０３ｂ，１０３ｃに当接する。
【００２７】
また図３に示すように、連動部材１０５は、本体部材１０６の凸曲面部１０６ａ，１０６ｂの２箇所と立ち壁部１０６ｃとに当接してＺ方向に移動可能に挟持されている。連動部材１０５は、凸曲面部１０６ａ，１０６ｂと立ち壁部１０６ｃとによりＺ方向に移動可能にガイドされる。すなわち、連動部材１０５は、Ｙ方向におけるロックピン１０２（およびアンロックボタン２０２）の両側の２箇所を少なくとも含む複数箇所においてベース部材としての本体部材１０６により押圧操作方向に移動可能にガイドされている。さらに図４（ａ）に示すように、連動部材１０５のうち立ち壁部１０６ｃと当接する部分１０５ｄは、立ち壁部１０６ｃに向かって凸の曲面（半球）形状を有する。これにより、連動部材１０５と本体部材１０６とは線接触または点接触することになり、連動部材１０５がＺ方向に移動する際の摩擦抵抗が軽減される。
【００２８】
次に、アンロックボタン２０２の押圧操作によるロックピン１０２のアンロック動作について、図４（ａ），（ｂ）および図５（ａ），（ｂ）を用いて説明する。図５（ａ）は、フロントカバー１０６から突出したアンロックボタン２０２およびマウント部材１０１から突出したロックピン１０２を前方から見て示している。図５（ｂ）は、図５（ａ）中のＡ−Ａ線での断面を示している。
【００２９】
図５（ｂ）において、アンロックボタン２０２の操作部２０２ａが太矢印で示すようにＺ方向（後方）に押圧操作されると、アンロックボタン２０２の当接部２０２ｂが連動部材１０５のボタン当接部１０５ａをＺ方向に押す。これにより、図５（ｃ）に示すように連動部材１０５がＺ方向に移動される。連動部材１０５は、本体部材１０６における前述した３箇所（１０６ａ〜１０６ｃ）により、本体部材１０６に対して、Ｚ方向に移動（摺動）可能にガイド保持されている。
【００３０】
Ｚ方向に移動する連動部材１０５はそのピン当接部１０５ｂ，１０５ｃ（凸部１０５ｂａ，１０５ｃａ）にてロックピン保持部材１０３の被当接部１０３ｂ，１０３ｃをＺ方向に押し、ロックピン保持部材１０３とともにロックピン１０２をＺ方向に移動させる。前述したように、連動部材１０５の凸部１０５ｂａ，１０５ｃａとロックピン保持部材１０３の被当接部１０３ｂ，１０３ｃとの当接位置がロックピン１０２のうちマウント部材１０１の貫通孔部１０１ａに嵌合挿入されているピン部１０２ｃの近傍である。このため、該当接位置がロックピン１０２のピン部１０２ｃからＺ方向に離れている場合に比べて、ロックピン１０２が、Ｚ方向に対して、つまりはマウント部材１０１の貫通孔部１０１ａに対して傾きにくい。また、連動部材１０５の凸部１０５ｂａ，１０５ｃａとロックピン保持部材１０３の被当接部１０３ｂ，１０３ｃとの当接位置が、Ｘ方向においてロックピン１０２（の中心１０２ａ）と同一位置にあり、かつＹ方向においてロックピン１０２（の中心１０２ａ）から同一距離の位置にある。このため、ロックピン１０２は、ロックピン保持部材１０３の被当接部１０３ｂ，１０３ｃから均等にＺ方向の力を受けることになり、ロックピン１０２はマウント部材１０１の貫通孔部１０１ａに対してほとんど傾くことなくＺ方向に移動することができる。
【００３１】
また、アンロックボタン２０２の押圧操作時にアンロックボタン２０２がＺ方向に対して傾いたままＺ方向に移動すると、連動部材１０５は、図５（ｂ）中の矢印 Ｋで示す方向に傾きながらＺ方向に移動することになる。しかし、連動部材１０５はロックピン保持部材１０３と別部品であり、連動部材１０５の凸部１０５ｂａ，１０５ｃａの頂点がロックピン保持部材１０３の被接触部１０３ｂ，１０３ｃに対して点接触している。このため、連動部材１０５が傾いても、被接触部１０３ｂ，１０３ｃに対する凸部１０５ｂａ，１０５ｃａの点接触は維持され、ロックピン保持部材１０３が連動部材１０５の傾きの影響を受けにくい。このため、ロックピン保持部材１０３に一体に固定されたロックピン１０２がマウント部材１０１の貫通孔部１０１ａに対して傾いてＺ方向に移動することを抑制することができる。
【００３２】
従来は、図８に示したように、連動部材３０３とロックピン３０２とが一体の部品であったため、連動部材３０３が傾くとロックピン３０２も傾く。この結果、ロックピン３０２はそのピン部の外周面がマウント部材の貫通孔の内周面に強く擦れながら移動することになり、ロックピン３０２の移動に対する抵抗が生じる。このため、アンロックボタン２０２の操作性が低下する。
【００３３】
しかし、本実施例によれば、連動部材１０５の傾きによるロックピン１０２の傾きが抑制されるので、ロックピン１０２のピン部１０２ｃのマウント部材１０１の貫通孔１０１ａの内周面に対する擦れ、つまりはロックピン１０２の移動に対する抵抗が減少する。このため、アンロックボタン２０２の操作性が良好になる。
【００３４】
次に、レンズアンロック機構２００の詳細を、図２（ｂ）、図５（ｂ）および図５（ｃ）を用いて説明する。図２（ｂ）を用いて説明したように、レンズアンロック機構２００はフロントカバー２０１によって保持されている。図５（ｂ）において、アンロックボタン２０２は、ボタンばね２０３によって前方に付勢され、アンロックボタン２０２のボタンストッパ部２０２ｄ，２０２ｅがフロントカバー２０１に当接することで非操作位置に保持される。アンロックボタン２０２の軸部２０２ｃは、ボタン軸保持部材２０４の筒部２０４ａ内に形成された貫通孔部２０４ａａにＺ方向に移動可能に嵌合挿入されている。ボタン軸保持部材２０４は、フロントカバー２０１に固定される固定部材２０５によって保持されている。
【００３５】
図５（ｂ）に示すように、ボタン軸保持部材２０４において貫通孔部２０４ａａを有する筒部２０４ａは、その後端部（Ｚ方向での先端部）２０４ｂが固定部材２０５を貫通して該固定部材２０５よりもＺ方向に突出するように固定部材２０５によって保持されている。つまり、ボタン軸保持部材２０４の筒部２０４ａおよび貫通孔部２０４ａａは、固定部材２０５をアンロックボタン２０２側からその反対側まで貫通している。図５（ｃ）は、アンロックボタン２０２がＺ方向に押圧操作され、アンロックボタン２０２の内側の天井面がボタン軸保持部材２０４の筒部２０４ａの前端に当接する操作位置にある状態を示す。この状態において、アンロックボタン２０２の軸部２０２ｃの後端２０４ｃａは、筒部２０４ａの貫通孔部２０４ａａの後端開口の近傍まで到達している。この構成により、アンロックボタン２０２の軸部２０２ｃの長さを長くすることできる。
【００３６】
この結果、図５（ｂ）に示すように非操作位置にあるアンロックボタン２０２の軸部２０２ｃの貫通孔部２０４ａａに対する嵌合長が長くなり、アンロックボタン２０２Ｚ方向に対する傾きを抑制することができる。これにより、アンロックボタン２０２の操作性が良好になる。
【００３７】
次に、図６（ａ）、図６（ｂ）および図７を用いて、アンロックボタン２０２とボタン軸保持部材２０４のより詳細な形状について説明ずる。図６（ａ）および図６（ｂ）はそれぞれ、レンズアンロック機構を分解して前側および後側から見て示している。これらの図に示すように、アンロックボタン２０２においてボタンストッパ部２０２ｅ，２０２ｄが設けられたフランジ部２０２ｉ，２０２ｊは、アンロックボタン２０２の周方向に２つに分割されており、それらの間には切欠き部（凹部）２０２ｇ，２０２ｈが存在する。ボタン軸保持部材２０４にも、同様に、２つに分割されたフランジ部２０４ｅ，２０４ｆと、それらの間の切欠き部（凹部）２０４ｃ，２０４ｄとが設けられている。
【００３８】
図６（ｂ）に示すように、ボタン軸保持部材２０４のフランジ部２０４ｅ，２０４ｆの後面には、固定部材２０５に設けられた穴部２０５ｇ，２０５ｈから突出する凸部２０４ｇ，２０４ｈが設けられている。凸部２０４ｇ，２０４ｈが熱で溶かすことでボタン軸保持部材２０４が固定部材２０５に固定（熱溶着）される。
【００３９】
図７は、アンロックボタン２０２とボタン軸保持部材２０４を重ねて前方（押圧操作方向）から見て示す。図７中の点線がボタン軸保持部材２０４の外形を示している。この図に示すように、アンロックボタン２０２における２つの切欠き部２０２ｇ，２０２ｈはそれぞれ、前方から見てボタン軸保持部材２０４の２つのフランジ部２０４ｅ，２０４ｆと同一位置に配置されている。また、アンロックボタン２０２の２つのフランジ部２０２ｉ，２０２ｊもそれぞれ、前方から見てボタン軸保持部材２０４の２つの切欠き部２０４ｃ，２０４ｄと同一位置に配置されている。
【００４０】
この構成により、押圧操作されて操作位置に移動したアンロックボタン２０２のフランジ部２０２ｉ，２０２ｊは、ボタン軸保持部材２０４のフランジ部２０４ｅ，２０４ｆに干渉することなく、ボタン軸保持部材２０４の切欠き部２０４ｃ，２０４ｄ内に入り込む。同様に、アンロックボタン２０２の切欠き部２０２ｇ，２０２ｈ内に、ボタン軸保持部材２０４のフランジ部２０４ｅ，２０４ｆが入り込む。
【００４１】
アンロックボタンおよびボタン軸保持部材に上記のような切欠き部を設けない場合、それらのフランジ部が互いに干渉しないように、ボタン軸保持部材のフランジ部をより後方に配置する必要がある。この結果、レンズアンロック機構がＺ方向にて大型化し、薄型化が望まれる撮像装置に組み込むことが難しくなる。
【００４２】
これに対して、本実施例の構成によれば、ボタン軸保持部材２０４のフランジ部２０４ｅ，２０４ｆをより前方に配置することができるので、レンズアンロック機構をＺ方向にて小型化することができ、薄型化された撮像装置１に容易に組み込むことができる。
【００４３】
ただし、アンロックボタン２０２はフロントカバー２０１の穴部２０１ａに対して若干のクリアランスを持つように配置されている。このため、アンロックボタン２０２のフランジ部２０２ｉ，２０２ｊにおける切欠き部２０２ｇ，２０２ｈ側の端とボタン軸保持部材２０４の切欠き部２０４ｃ，２０４ｄにおけるフランジ部２０４ｅ，２０４ｆ側の端との間に前方から見える隙間があると、その隙間を通して撮像装置１の内部が見えてしまう。
【００４４】
このため、図７にハッチングして示すように、アンロックボタン２０２のフランジ部２０２ｉ，２０２ｊにおける切欠き部２０２ｇ，２０２ｈ側の部分と、ボタン軸受部材２０４の切欠き部２０４ｃ，２０４ｄにおけるフランジ部２０４ｅ，２０４ｆ側の部分とに、前方から見て重なり合う重複部分Ｐ１〜Ｐ４を設けている。具体的には、図６（ａ），（ｂ）に示すように、アンロックボタン２０２のフランジ部２０２ｉ，２０２ｊにおける切欠き部２０２ｇ，２０２ｈ側の部分にそれぞれ斜面部２０２ｅａ，２０２ｄａを設けている。また、ボタン軸受部材２０４の切欠き部２０４ｃ，２０４ｄにおけるフランジ部２０４ｅ，２０４ｆ側の部分にそれぞれ斜面部２０４ｅａ，２０４ｆａを設けている。このような重複部分Ｐ１〜Ｐ４を設けることで、前述したように隙間を通して撮像装置１の内部が見えてしまうことを回避することができる。
【００４５】
そしてこの場合も、アンロックボタン２０２が操作位置に移動したときにアンロックボタン２０２のフランジ部２０２ｉ，２０２ｊがボタン軸受部材２０４の切欠き部２０４ｃ，２０４ｄ内に入り込むことができる必要がある。このため、斜面部２０２ｅａ，２０２ｄａ，２０４ｅａ，２０４ｆａのうち前方から見て重なり合う斜面部同士は、押圧操作方向に対して互いに同一方向に傾いた斜面部として形成している。これにより、アンロックボタン２０２が操作位置に移動したときに、アンロックボタン２０２側の斜面部とボタン軸受部材２０４側の斜面部とが互いに「逃げ」となる。このため、アンロックボタン２０２のフランジ部２０２ｉ，２０２ｊがボタン軸受部材２０４の２０４ｃ，２０４ｄ内に入り込むことができる。
【００４６】
以上説明したように、本実施例によれば、小型でありながらも良好な操作感が得られるレンズアンロック機構を実現することができ、レンズロックおよびレンズアンロック機構を備えた撮像装置を小型化することができる。
【００４７】
以上説明した各実施例は代表的な例にすぎず、本発明の実施に際しては、各実施例に対して種々の変形や変更が可能である。
【符号の説明】
【００４８】
１  撮像装置
１０１  マウント部材
１０２  ロックピン
１０３    ロックピン保持部材
１０５    連動部材
１０６    本体部材
２０２  アンロックボタン
２０４  ボタン軸受部材
２０５  固定部材
【図１】
2020122849.tif 000003
【図２】
2020122849.tif 000004
【図３】
2020122849.tif 000005
【図４】
2020122849.tif 000006
【図５】
2020122849.tif 000007
【図６】
2020122849.tif 000008
【図７】
2020122849.tif 000009
【図８】
2020122849.tif 000010